(57)【要約】【課題】情報処理装置の大型化を伴うことなくディスプレイの大型化を図る。【解決手段】ヒンジ筒１０と該ヒンジ筒の内部に配置されたヒンジ軸１１、１１とを有するヒンジ部９を介して表示部２が装置本体部３に回動自在に支持された情報処理装置１において、ヒンジ筒の内部にディスプレイ５のバックライトの点灯制御を行うインバーター２１の少なくとも一部を配置した。【選択図】          図８
2004246604.tif 000002
【特許請求の範囲】
【請求項１】
表示用筐体にディスプレイが配置された表示部と複数の所定の操作キーを有するキー入力手段が設けられた装置本体部とを備え、表示部がキーボードを開閉する方向へ装置本体部にヒンジ部を介して回動自在に支持された情報処理装置であって、
上記ヒンジ部はヒンジ筒と該ヒンジ筒の内部に配置されたヒンジ軸とを有し、
ヒンジ筒の内部にディスプレイのバックライトの点灯制御を行うインバーターの少なくとも一部を配置した
ことを特徴とする情報処理装置。
【請求項２】
上記ヒンジ筒を表示部から突出された表示側ヒンジ筒と装置本体部から突出された本体側ヒンジ筒とによって構成し、
表示側ヒンジ筒の内部にインバーターの少なくとも一部を配置した
ことを特徴とする請求項１に記載の情報処理装置。
【請求項３】
上記表示側ヒンジ筒の内部を表示用筐体の内部に連通し、
上記インバーターを表示側ヒンジ筒の内部と表示用筐体の内部とに跨るように配置した
ことを特徴とする請求項２に記載の情報処理装置。
【発明の詳細な説明】
【０００１】
【発明の属する技術分野】
本発明は情報処理装置に関する。詳しくは、ディスプレイを有する表示部がキーボードを有する装置本体部に回動自在に支持された情報処理装置において、ディスプレイのバックライトの点灯制御を行うインバーターの配置構造についての技術分野に関する。
【０００２】
【従来の技術】
複数の所定の操作キーを有するキーボードが設けられた装置本体部と、ディスプレイ（液晶表示部）を有する表示部とを有し、該表示部が装置本体部に回動自在に支持された情報処理装置、例えば、パーソナルコンピューター、ＰＤＡ（Ｐｅｒｓｏｎａｌ  Ｄｉｇｉｔａｌ  Ａｓｓｉｓｔａｎｔ）、携帯電話等がある。
【０００３】
表示部は表示用筐体にディスプレイが配置されて成る。表示用筐体は枠状に形成されたフロントパネルとフロントパネル側に開口され浅い箱状に形成されたリアパネルとが結合されて成り、表示用筐体の外周部が枠部として設けられている。
【０００４】
このような情報処理装置にあっては、ディスプレイのバックライトの点灯制御を行うインバーターやディスプレイの駆動のための駆動回路基板等が内蔵されている。
【０００５】
従来の情報処理装置においては、インバーターが表示用筐体の枠部の内部、例えば、ディスプレイの側方の空間内に配置されている（例えば、特許文献１参照）。
【０００６】
【特許文献１】
特開平８―７６８８８号公報
【０００７】
【発明が解決しようとする課題】
ところが、従来の情報処理装置のように、インバーターをディスプレイの側方の空間内に配置すると、その分、情報処理装置の大型化又はディスプレイの小型化という問題を生じてしまう。即ち、インバーターをディスプレイの側方の空間内に配置した状態でディスプレイの大型化を図るには、インバーターが配置された部分にディスプレイを配置できないため、表示部の全体を大きくする必要があり、その分、情報処理装置が大型化してしまい、逆に、情報処理装置の大型化を回避しようとするとディスプレイが小型になってしまうと言う問題が生じている。
【０００８】
この情報処理装置の大型化及びディスプレイの小型化の問題は、インバーターを表示用筐体のディスプレイの上側の空間又は下側の空間に配置しても同様に生じてしまう。
【０００９】
特に、近時、携帯機器としても使用可能な情報処理装置が普及しているが、このような携帯機器としても用いられる情報処理装置にあっては、情報処理装置全体の小型化を維持した上でディスプレイの大型化を図り、使い勝手の向上及びディスプレイの表示の視認性の向上を図る必要がある。
【００１０】
また、情報処理装置には、表示用筐体の内部にアンテナを有し通信可能とされたものも開発されているが、この場合には、金属部分を有するインバーターの近傍にアンテナを配置することができないため、アンテナの数を増やすことができない等の不具合を生じており、十分な通信機能が確保されないおそれがある。
【００１１】
さらに、インバーターをディスプレイの側方に配置した分、ディスプレイをその中心が表示部の中心に一致するようにして配置し難く、ディスプレイを表示用筐体に対してオフセットした位置に配置せざるを得ない場合がある。
【００１２】
そこで、本発明情報処理装置は、上記した問題点を克服し、情報処理装置の大型化を伴うことなくディスプレイの大型化を図ることを課題とする。
【００１３】
【課題を解決するための手段】
本発明情報処理装置は、上記した課題を解決するために、ヒンジ筒と該ヒンジ筒の内部に配置されたヒンジ軸とを有するヒンジ部を介して表示部が装置本体部に回動自在に支持された情報処理装置において、ヒンジ筒の内部にディスプレイのバックライトの点灯制御を行うインバーターの少なくとも一部を配置したものである。
【００１４】
従って、本発明情報処理装置にあっては、ディスプレイの配置スペースとインバーターの配置スペースとが干渉しない。
【００１５】
【発明の実施の形態】
以下に、本発明の実施の形態を添付図面に従って説明する。尚、以下に示す実施の形態は、本発明を携帯機器としても使用可能な情報処理装置（パーソナルコンピューター）に適用したものである。
【００１６】
情報処理装置１は表示部２と装置本体部３とを備えている（図１乃至図３参照）。
【００１７】
表示部２は表示用筐体４と該表示用筐体４に配置されたディスプレイ５とを有している。
【００１８】
表示用筐体４は、外形が略矩形状に形成された枠状を為すフロントパネル６と、外形が略矩形状に形成されフロントパネル６側に開口された浅い箱状を為すリアパネル７とが結合されて成り、表示用筐体４の外周側の部分が枠部８として設けられている。従って、枠部８はディスプレイ５の左右に位置する左縁部８ａ、右縁部８ｂとディスプレイ５の上下に位置する上縁部８ｃ、下縁部８ｄとによって構成されている。
【００１９】
表示部２は装置本体部３の後端部において、左右方向に延びるヒンジ部９を介して回動自在に支持されている。表示部２は非使用時には装置本体部３の後述するキーボードを閉塞する閉塞位置まで回動される（図２参照）。
【００２０】
ヒンジ部９は、図１及び図３に示すように、ヒンジ筒１０と該ヒンジ筒１０の内部に配置されたヒンジ軸１１、１１とによって構成され、ヒンジ筒１０は表示側ヒンジ筒１２と本体側ヒンジ筒１３、１３とから成る。
【００２１】
表示側ヒンジ筒１２は表示用筐体４の下縁部８ｄから突出され、下縁部８ｄの左右両端部を除いた位置に設けられている。表示側ヒンジ筒１２は表示用筐体４と一体に形成されている。
【００２２】
本体側ヒンジ筒１３、１３は装置本体部３の後縁から突出され、それぞれ装置本体部３の左右両端寄りの位置に設けられている。本体側ヒンジ筒１３、１３は装置本体部３の外筐と一体に形成されており、それぞれ外面が閉塞されている。
【００２３】
表示側ヒンジ筒１２の左右両端部と本体側ヒンジ筒１３、１３との間には、図１及び図３に示すように、それぞれヒンジ軸１１、１１が配置され、該ヒンジ軸１１、１１によって表示側ヒンジ筒１２と本体側ヒンジ筒１３、１３とが連結されている。
【００２４】
表示用筐体４の右側面にはスライド摘子１４が支持されている（図４参照）。スライド摘子１４は無線通信機能を有効又は無効にするための切替用の摘子であり、透孔１４ａを有している。表示用筐体４のスライド摘子１４が支持された位置には図示しない透過孔が形成され、該透過孔は、スライド摘子１４が一方へ操作され無線通信機能が有効とされたときに該スライド摘子１４の透孔１４ａと一致され、スライド摘子１４が他方へ操作され無線通信機能が無効とされたときに該スライド摘子１４によって閉塞される。
【００２５】
表示用筐体４のリアパネル７の内面には、図５に示すように、その略４隅の位置にそれぞれ軸状に形成された取付部７ａ、７ａ、・・・が設けられている。取付部７ａ、７ａ、・・・にディスプレイ５の外周部に設けられた被取付部５ａ、５ａ、・・・が、例えば、カシメによって取り付けられる。
【００２６】
表示用筐体４の左縁部８ａの内部には一方に長い形状に形成されたアンテナ用回路基板１５が配置されている（図５参照）。アンテナ用回路基板１５はリアパネル７の左端部に設けられた取付部７ａ、７ａ間において、リアパネル７の左端部に縦長となる向きで取り付けられている。アンテナ用回路基板１５には第１のアンテナ１６が配置されている。
【００２７】
表示用筐体４の右縁部８ｂの内部には一方に長い形状に形成された共通回路基板１７が配置されている（図５参照）。共通回路基板１７はリアパネル１４の右端部に設けられた取付部７ａ、７ａ間において、リアパネル７の右端部に縦長となる向きで取り付けられている。
【００２８】
共通回路基板１７には、図６及び図７に示すように、第２のアンテナ１８、スイッチ１９及び発光ダイオード２０が各別の位置に配置されている。共通回路基板１７には通信用回路と発光用の駆動回路とが形成されている。
【００２９】
スイッチ１９はスイッチ本体１９ａと被操作子１９ｂとを有し、該被操作子１９ｂが操作されることにより発光用の駆動回路が開閉される。スイッチ本体１９は被操作子１９ｂが表示用筐体４の右側面に支持されたスライド摘子１４の一部と連結され、被操作子１９ｂがスライド摘子１４のスライド操作に伴って操作される。
【００３０】
発光ダイオード２０は共通回路基板１７がリアパネル７に取り付けられた状態において、表示用筐体４の右側面に形成された透過孔に対応して位置される。
【００３１】
上記のように、スライド摘子１４が一方へ操作され無線通信機能が有効とされたときにはスイッチ１９によって発光用の駆動回路が閉じられて発光ダイオード２０が点灯され、スライド摘子１４が他方へ操作され無線通信機能が無効とされたときにはスイッチ１９によって発光用の駆動回路が開かれて発光ダイオード２０が消灯される。発光ダイオード２０が点灯されているときには、表示用筐体４の右側面に形成された透過孔及びスライド摘子１４の透孔１４ａを介して発光ダイオード２０の光が外部へ出射され、ユーザーは無線通信機能が有効状態にあることを把握することができる。一方、発光ダイオード２０が消灯されているときには、ユーザーは無線通信機能が無効状態にあることを把握することができる。
【００３２】
上記したように、情報処理装置１にあっては、第２のアンテナ１８、スイッチ１９及び発光ダイオード２０が何れも共通回路基板１７に配置されているため、部品点数の削減及び配置スペースの有効活用が図られ、情報処理装置１の製造コストの低減及び小型化を図ることができる。
【００３３】
また、第２のアンテナ１８、スイッチ１９及び発光ダイオード２０のそれぞれについて専用の回路基板を必要としないため、複数の回路基板を各位置に組み付ける複数の組付工程を必要とせず、情報処理装置１の製造時間の短縮化及び製造コストの低減を図ることができる。
【００３４】
さらに、スイッチ１９及び発光ダイオード２０は、何れも第２のアンテナ１８の無線通信機能に関連するものであるため、第２のアンテナ１８、スイッチ１９及び発光ダイオード２０を共通回路基板１７に配置して互いに近傍に位置させることが可能であり、ユーザーにとって、それぞれの関連性を把握し易く、情報処理装置１の使い勝手の向上を図ることができる。
【００３５】
加えて、情報処理装置１にあっては、表示用筐体４の略４隅の位置にディスプレイ５を取り付けるための取付部７ａ、７ａ、・・・をそれぞれ設け、アンテナ用回路基板１５及び共通回路基板１７をそれぞれ取付部７ａ、７ａ間に配置したので、アンテナ用回路基板１５及び共通回路基板１７がディスプレイ５の配置スペースに干渉することがなく、その分、ディスプレイ５の大型化を図ることができる。
【００３６】
尚、上記のように、何れも無線通信機能に関連する第２のアンテナ１８、スイッチ１９及び発光ダイオード２０を共通回路基板１７に配置することにより、例えば、無線通信機能を備えない情報処理装置を製造しようとするときには、共通回路基板１７を取り外せばよく、無線通信機能を必要としない情報処理装置の製造を容易に行うことができる。
【００３７】
情報処理装置１には、上記のように、第１のアンテナ１６と第２のアンテナ１８の２つのアンテナが設けられているが、このように２つのアンテナを設けることにより、状況に応じて感受性の良好な側の第１のアンテナ１６又は第２のアンテナ１８によって送受信を行う所謂ダイバーシティー機能を搭載することができる。
【００３８】
また、上記には、アンテナ用回路基板１５を表示用筐体４の左縁部８ａの内部に配置し、共通回路基板１７を表示用筐体４の右縁部８ｂの内部に配置した例を示したが、アンテナ用回路基板１５と共通回路基板１７の配置位置は左縁部８ａ又は右縁部８ｂに限られることはなく、配置スペースを確保することが可能であれば、表示用筐体４の上縁部８ｃの内部又は下縁部８ｄの内部に配置することもできる。
【００３９】
ヒンジ部９の内部にはディスプレイ５のバックライトの点灯制御を行うインバーター２１の一部が配置されている（図５及び図８参照）。インバーター２１は一方に長い形状に形成され、表示側ヒンジ筒１２と表示用筐体４の下縁部８ｄとに跨って横長となる向きで配置されている。
【００４０】
インバーター２１は、第１の接続ケーブル２２によってディスプレイ５と接続され、第２の接続ケーブル２３によって装置本体部３の内部に配置された図示しない駆動用回路と接続されている。第２の接続ケーブル２３は表示側ヒンジ筒１２から一方の本体側ヒンジ筒１３を通されて駆動用回路と接続されている。
【００４１】
上記のように、情報処理装置１にあっては、ヒンジ筒１０の内部にインバーター２１の一部を配置したので、インバーター２１の配置スペースとディスプレイ５の配置スペースとが干渉せず、表示用筐体４を大型化することなくディスプレイ５の大型化を図ることができる。
【００４２】
また、インバーター２１の一部をヒンジ筒１０の内部に配置することにより、表示用筐体４の枠部８の内部に第１のアンテナ１６及び第２のアンテナ１８の２つのアンテナを配置することができ、複数のアンテナを配置することにより十分な通信機能の向上を図ることができる。
【００４３】
さらに、インバーター２１の一部をヒンジ筒１０の内部に配置することにより、ディスプレイ５をその中心が表示部２の中心に一致した状態で配置することができる。
【００４４】
さらにまた、インバーター２１は表示部２から突出された表示側ヒンジ筒１２の内部に配置されているため、インバーター２１とディスプレイ５との接続を容易に行うことができ、接続作業における作業性の向上を図ることができる。
【００４５】
加えて、インバーター２１を表示側ヒンジ筒１２と表示用筐体４の下縁部８ｄとに跨るように配置しているため、インバーター２１を配置するために表示側ヒンジ筒１２の外径を大きくする必要がなく、情報処理装置１の大型化を回避することができる。
【００４６】
装置本体部３の上面部３ａには、その後端部を除いた部分にキーボード２４が設けられ、該キーボード２４は複数の所定の操作キー２５、２５、・・・を有している（図１参照）。装置本体部３の内部にはＣＰＵ（中央演算処理装置）等の処理手段が設けられており、キーボード２４の操作キー２５、２５、・・・等に対する操作によって入力された信号についての各処理が行われる。
【００４７】
装置本体部３の上面部３ａの後端部には、その右端部に、ポインティングデバイス２６が配置され、該ポインティングデバイス２６の操作によってディスプレイ５に表示されるポインタが移動される。
【００４８】
ポインティングデバイス２６の外周側には、周方向に等間隔に離隔してカーソルキー２７、２７、・・・が配置されている。カーソルキー２７、２７、・・・を操作することにより、ディスプレイ５上に表示されるカーソルを上下左右へ移動させることができる。
【００４９】
カーソルキー２７、２７の外側には、それぞれ切替釦２８と補助入力釦２９とが配置されている。切替釦２８は画像の向きの切替や画面の解像度の切替を行うためのものであり、補助入力釦２９は簡易な操作で文字入力を行うためのソフトウェアの起動を行う等のためのものである。情報処理装置１にあっては、切替釦２８を操作することにより、ディスプレイ５に表示される画像を９０°回転させることが可能である。
【００５０】
装置本体部３の上面部３ａの後端部には、その左端部にマウスの各釦に相当する左釦３０、右釦３１及び中釦３２が配置されている。左釦３０と右釦３１は中釦３２を周囲から囲むように配置され、それぞれ円弧状に形成されている。
【００５１】
装置本体部３の上面部３ａの後端部には、切替釦２８及び補助入力釦２９の左側の位置に、それぞれ電源釦３３、スタンバイ釦３４及び輝度調整釦３５が左右に離隔して配置されている。電源釦３３は電源の入力を行うためのものであり、スタンバイ釦３４は省電力動作モードと通常の電力動作モードとの切替を行うためのものであり、輝度調整釦３５はディスプレイ５のバックライトの点灯制御を行うためのものである。
【００５２】
上記した操作キー２５、２５、・・・、カーソルキー２７、２７、・・・等の各キー及び釦は、キー入力手段として機能する。
【００５３】
装置本体部３の上面部３ａの後端部には、左釦３０、右釦３１及び中釦３２の右側の位置に、スピーカー３６が設けられている。
【００５４】
装置本体部３の前面部３ｂの左端寄りの位置には、吸気口３７、３７、・・・が左右に並ぶようにして形成されている（図１及び図２参照）。装置本体部３の後面部３ｃの右端寄りの位置には、排気口３８、３８、・・・が左右に並ぶようにして形成されている（図３参照）。
【００５５】
従って、情報処理装置１の使用時には、外気が吸気口３７、３７、・・・から装置本体部３の内部に取り込まれて該装置本体部３の内部が冷却され、冷却に使用された外気が排気口３８、３８、・・・から外部へ放出される。
【００５６】
情報処理装置１を使用する際には、表示部２を装置本体部３に対して任意の角度開放する（図１、図９及び図１０参照）。このように表示部２を装置本体部３に対して任意の角度開放することにより、情報処理装置１を据置用の機器又は携帯用の機器として使用することができる。
【００５７】
情報処理装置１を携帯用の機器として使用する場合には、操作者は、例えば、図９に示すように、装置本体部３の左右両側縁を両手で把持した状態で操作する。
【００５８】
また、情報処理装置１にあっては、上記したように、切替釦２８を操作することにより、画像を９０°回転させることが可能であるため、例えば、情報処理装置１を携帯用の機器として使用する場合に、図１０に示すように、装置本体部３と表示部２とが左右に位置するように横向きにして使用することもできる。
【００５９】
上記のように、排気口３８、３８、・・・を、装置本体部３の後面部３ｃに形成することにより、外気が操作者の手や指に向けて放出されることがなく、情報処理装置１の良好な操作性を確保することができる。また、吸気口３７、３７、・・・と排気口３８、３８、・・・とを、それぞれ装置本体部３の前面部３ｂと後面部３ｃとに形成することにより、携帯用の機器として使用する際に吸気口３７、３７、・・・又は排気口３８、３８、・・・を手で覆ってしまうことがなく、適正な冷却機能を確保することができる。さらに、排気口３８、３８、・・・が装置本体部３の前面部３ｂに形成されていないため、外気が操作者に向けて放出されることがなく、情報処理装置１の一層の良好な操作性を確保することができる。
【００６０】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００６１】
【発明の効果】
以上に記載したところから明らかなように、本発明情報処理装置は、表示用筐体にディスプレイが配置された表示部と複数の所定の操作キーを有するキー入力手段が設けられた装置本体部とを備え、表示部がキーボードを開閉する方向へ装置本体部にヒンジ部を介して回動自在に支持された情報処理装置であって、上記ヒンジ部はヒンジ筒と該ヒンジ筒の内部に配置されたヒンジ軸とを有し、ヒンジ筒の内部にディスプレイのバックライトの点灯制御を行うインバーターの少なくとも一部を配置したことを特徴とする。
【００６２】
従って、インバーターの配置スペースとディスプレイの配置スペースとが干渉せず、表示用筐体を大型化することなくディスプレイの大型化を図ることができる。
【００６３】
また、インバーターの少なくとも一部をヒンジ筒の内部に配置することにより、表示用筐体の内部に他の機能を有する各部、例えば、複数のアンテナを配置することができ、複数のアンテナを配置することにより通信機能の向上を図ることができる。
【００６４】
さらに、インバーターの少なくとも一部をヒンジ筒の内部に配置することにより、ディスプレイをその中心が表示部の中心に一致した状態で配置することができる。
【００６５】
請求項２に記載した発明にあっては、上記ヒンジ筒を表示部から突出された表示側ヒンジ筒と装置本体部から突出された本体側ヒンジ筒とによって構成し、表示側ヒンジ筒の内部にインバーターの少なくとも一部を配置したので、インバーターとディスプレイとの接続を容易に行うことができ、接続作業における作業性の向上を図ることができる。
【００６６】
請求項３に記載した発明にあっては、上記表示側ヒンジ筒の内部を表示用筐体の内部に連通し、上記インバーターを表示側ヒンジ筒の内部と表示用筐体の内部とに跨るように配置したので、インバーターを配置するために表示側ヒンジ筒の外径を大きくする必要がなく、情報処理装置の大型化を回避することができる。
【図面の簡単な説明】
【図１】図２乃至図１０と共に本発明の実施の形態を示すものであり、本図は表示部を開いた状態で示す情報処理装置の斜視図である。
【図２】表示部を閉じた状態で示す情報処理装置の斜視図である。
【図３】表示部を閉じた状態で示す情報処理装置の背面図である。
【図４】表示部の一部を示す拡大側面図である。
【図５】表示部の内部構造を示す拡大正面図である。
【図６】各部が配置された共通回路基板を示す拡大正面図である。
【図７】各部が配置された共通回路基板を示す拡大背面図である。
【図８】インバーターが配置された状態を示す拡大断面図である。
【図９】図１０と共に情報処理装置を携帯用の機器として使用する場合の使用例を示すものであり、本図は一例を示す斜視図である。
【図１０】別の一例を示す斜視図である。
【符号の説明】
１…情報処理装置、２…表示部、３…装置本体部、４…表示用筐体、５…ディスプレイ、９…ヒンジ部、１０…ヒンジ筒、１１…ヒンジ軸、１２…表示側ヒンジ筒、１３…本体側ヒンジ筒、２１…インバーター、２４…キーボード、２５…操作キー
【図１】
2004246604.tif 000003
【図２】
2004246604.tif 000004
【図３】
2004246604.tif 000005
【図４】
2004246604.tif 000006
【図５】
2004246604.tif 000007
【図６】
2004246604.tif 000008
【図７】
2004246604.tif 000009
【図８】
2004246604.tif 000010
【図９】
2004246604.tif 000011
【図１０】
2004246604.tif 000012